(57)【特許請求の範囲】
【請求項１】
印字部により印字される印字面とこの印字面の裏面である糊面からなるライナレスラベルをロール状に保持する第１の保持部と、
ＲＦ−ＩＤタグが周期的に貼られているロール紙を保持する第２の保持部と、
上記第１の保持部から搬送されるライナレスラベルの糊面に上記第２の保持部から搬送されるロールに貼られているＲＦ−ＩＤタグを貼る貼り付け手段と、
上記貼り付け手段でＲＦ−ＩＤタグが貼り付けられたライナレスラベルに対向し、上記ＲＦ−ＩＤタグに読み書きする読み書き装置と、
上記読み書き装置によりデータの読み書きがされたＲＦ−ＩＤタグが貼り付けられたライナレスラベルに印字する印字部と、
前記ライナレスラベルの幅は前記ロール紙の幅よりも大きく形成され、
前記ロール紙を前記ライナレスラベルに貼り付けた状態で前記ライナレスラベルのロール紙が貼られた以外の糊面が露出していること
を具備したことを特徴とするＲＦ−ＩＤラベル作成機能付きプリンタ。
【発明の詳細な説明】
【０００１】
【発明の属する技術分野】
本発明は、ＲＦ−ＩＤタグを印刷する直前に貼り付けるようにしたＲＦ−ＩＤラベル作成機能付きプリンタに関する。
【０００２】
【従来の技術】
非接触でデータを読み書きできることからＲＦ−ＩＤタグが注目されてきている。
【０００３】
図７ないし図９を参照してＲＦ−ＩＤタグプリンタについて説明する。
【０００４】
図７において、１１は基台である。この基台１１にはＲＦ−ＩＤタグが一定間隔で埋設されているロール紙１２が回転自在に保持されている。このロール紙１２は搬送手段によりプリンタ筐体１３内に搬送される。このロール紙１２には、予め図８及び図９に示すようにＲＦ−ＩＤタグ２３が所定間隔で埋設されている。
【０００５】
このプリンタ筐体１３内には搬送路１４に沿って、ＲＦ−ＩＤ読み書き装置１５、プリンタヘッド１６が配設されている。このプリンタヘッド１６に対向してプラテン１７が配設されている。
【０００６】
図８（Ａ）はロール紙１２を表面から見た図、図８（Ｂ）はロール紙１２を裏面から見た図、図９は図８（Ａ）のＡ−Ａ線に沿った断面図である。
【０００７】
つまり、ロール紙１２は長細い台紙２１に所定間隔でラベル２２が貼られている。この台紙２１とラベル２２との間には予めＲＦ−ＩＤタグ２３が埋め込まれている。
【０００８】
【発明が解決しようとする課題】
このように、従来のロール紙１２にはすでにＲＦ−ＩＤタグ２３が埋め込まれているため、ラベル２２の大きさを変更したい場合には、高価なロール紙をそのまま破棄するかすべてのＲＦ−ＩＤタグ２３を剥がさなければならたいため、その作業が大変であった。
【０００９】
本発明は上記の点に鑑みてなされたもので、その目的は、ＲＦ−ＩＤタグを用いたラベルであっても、ＲＦ−ＩＤタグを剥がさなくてもラベルの変更が容易なＲＦ−ＩＤラベル作成機能付きプリンタを提供することにある。
【００１１】
【課題を解決するための手段】
本発明は、印字部により印字される印字面とこの印字面の裏面である糊面からなるライナレスラベルをロール状に保持する第１の保持部と、ＲＦ−ＩＤタグが周期的に貼られているロール紙を保持する第２の保持部と、上記第１の保持部から搬送されるライナレスラベルの糊面に上記第２の保持部から搬送されるロールに貼られているＲＦ−ＩＤタグを貼る貼り付け手段と、上記貼り付け手段でＲＦ−ＩＤタグが貼り付けられたライナレスラベルに対向し、上記ＲＦ−ＩＤタグに読み書きする読み書き装置と、上記読み書き装置によりデータの読み書きがされたＲＦ−ＩＤタグが貼り付けられたライナレスラベルに印字する印字部と、前記ライナレスラベルの幅は前記ロール紙の幅よりも大きく形成され、前記ロール紙を前記ライナレスラベルに貼り付けた状態で前記ライナレスラベルのロール紙が貼られた以外の糊面が露出していることを具備したことを特徴とするＲＦ−ＩＤラベル作成機能付きプリンタとしたものである。
【００１２】
【発明の実施の形態】
以下、図面を参照して本発明の第１の実施の形態について説明する。図１はＲＦ−ＩＤラベル作成機能付きプリンタの概略構成図、図２（Ａ）はＲＦ−ＩＤタグが貼られたライナレスラベルを表から見た図、図２（Ｂ）はＲＦ−ＩＤタグが貼られたライナレスラベルを裏から見た図、図３はライナレスラベルに貼られたＲＦ−ＩＤタグの要部を示す断面図である。
【００１３】
図１において、３１はライナレスラベル３２をロール状に保持する保持部である。このライナレスラベル３１は一方の面、つまり外周面全面に糊が塗布され他方の面は印字面となっている。
【００１４】
保持部３１とプリンタ筐体３３との間で、ライナレスラベル３１が搬送される搬送経路ａの下側には、単票ＲＦ−ＩＤタグ３４が載置される載置部３５が設けられている。この載置台３５は駆動機構３５ａにより上下に移動可能である。
【００１５】
この載置部３５には、複数の単票ＲＦ−ＩＤタグ３４が載置可能である。ライナレスラベル３１は外周面全面に糊付けされているため、搬送経路ａにライナレスラベル３１が搬送されてきた場合には、その糊付け面は下側、つまり載置部３５側を向いている。
【００１６】
また、搬送経路ａを挟んで載置部３５と対向するように当接部材３６が取り付けられている。つまり、載置台３５が駆動機構３５ａにより上昇されると、載置台３５の一番上に載置されている単票ＲＦ−ＩＤタグ３４とライナレスラベル３２は当接部材３６に押圧されるため、ライナレスラベル３２の裏面に単票ＲＦ−ＩＤタグ３４が貼り付けられる。当接部材３５及び駆動機構３５ａにより貼り付け手段が構成される。
【００１７】
プリンタ筐体３３内には、ライナレスラベル３２が搬送される搬送経路ｂが設けられている。
【００１８】
この搬送経路ｂの下側には、単票ＲＦ−ＩＤタグ３４への読み書きを行う読み書き装置３７が設けられている。さらに、読み書き装置３７の下流側の搬送経路ｂの下側にはプラテン３８が設置されている。そして、搬送経路ｂを挟むようにプラテン３８と対向してプリンタヘッド３９が設けられている。
【００１９】
次に、動作について説明する。保持部３１に保持されているライナレスラベル３２がプラテン３８の回転によって搬送経路ａを搬送される。そして、一旦搬送が停止され、載置台３５が駆動機構３５ａにより上昇されると、載置台３５の一番上に載置されている単票ＲＦ−ＩＤタグ３４とライナレスラベル３２は当接部材３６に押圧されるため、ライナレスラベル３２の裏面に図２（Ｂ）に示すように単票ＲＦ−ＩＤタグ３４が貼り付けられる。図２（Ａ）はライナレスラベル３２を表面から見た図である。つまり、ライナレスラベル３２の表面は糊つけされていないため、この表面にプリンタヘッド３９により印字される。
【００２０】
また、ライナレスラベル３２の裏面に貼りつけられたＲＦ−ＩＤラベル３４には、読み書き装置３７によりデータの読み書きが行われる。
【００２１】
つまり、図３に示すように、ライナレスラベル３２の裏面にＲＦ−ＩＤラベル３４が貼れつけられる。ライナレスラベル３２の裏面のＲＦ−ＩＤラベル３４が貼られた以外の部分（図２（Ｂ）の斜線で示す）は、糊面が露出しているため、そのまま商品等に貼ることが可能である。
【００２２】
また、単票ＲＦ−ＩＤタグ３４はあらかじめライナレスラベル３２に組み込まれていないので、ライナレスラベルの大きさ等を変更したい場合に、ＲＦ−ＩＤラベルのロール紙を無駄にすることなく簡単にライナレスラベル３２を変更することができる。
【００２３】
このように、この第１の実施の形態によれば、簡単にライナレスラベル３２を変更することができる。
【００２４】
次に、本発明の第２の実施の形態について図４ないし図６を参照して説明する。図４はＲＦ−ＩＤラベル作成機能付きプリンタの概略構成図、図５（Ａ）はＲＦ−ＩＤタグが貼られたライナレスラベルを表から見た図、図５（Ｂ）はライナレスラベルを裏から見た図、図６はライナレスラベルに貼られたＲＦ−ＩＤタグの要部を示す断面図である。
【００２５】
図４において、４１はライナレスラベル４２をロール状に保持する第１の保持部、４３はＲＦ−ＩＤタグ４４が周期的に貼られているロール紙４５を保持する第２の保持部である。
【００２６】
ライナレスラベル４２は第１の実施の形態で説明したものと同じ構成でその外周面の全面に糊が塗布されている。また、ロール紙４５にはその内周面にＲＦ−ＩＤタグ４４が貼られている。ここで、図５に示すように、ライナレスラベル４２の幅ｘはロール紙４５の幅ｙよりも大きく設定されている。
【００２７】
また、５１はプリンタ筐体である。このプリンタ筐体５１内には、ライナレスラベル４２を搬送する第１の搬送経路ｃとロール紙４５を搬送する第２の搬送経路ｄが設けられている。
【００２８】
そして、第２の搬送経路ｄの下側には、単票ＲＦ−ＩＤタグ４４への読み書きを行う読み書き装置５２が設けられている。さらに、読み書き装置５２の下流側の搬送経路ｄの下側にはプラテン５３が設置されている。そして、プラテン５３と対向してプリンタヘッド５４が設けられている。
【００２９】
次に、動作について説明する。第１の保持部４１から搬送されるライナレスラベル４２、第２の保持部４３から搬送されるロール紙４５は、それぞれ第１の搬送経路ｃ、第２の搬送経路ｄを搬送される。
【００３０】
ここで、第１の搬送経路ｃと第２の搬送経路ｄとを少なくとも一部分がほぼ一致するように搬送する（貼り付け手段）ことにより、ライナレスラベル４２の裏面に、ＲＦ−ＩＤタグ４４が貼られているロール紙４５を図５（Ａ）及び（Ｂ）に示すように貼りつけることできる。
【００３１】
また、ロール紙４５の表面に貼りつけられたＲＦ−ＩＤラベル４４には、読み書き装置５２によりデータの読み書きが行われる。
【００３２】
さらに、ライナレスラベル４２の表面は糊つけされていないため、この表面にプリンタヘッド５４により印字される。
【００３３】
つまり、図５に示すように、ライナレスラベル４２の裏面にＲＦ−ＩＤラベル４４がロール紙４５により挟まれるように貼れつけられる。なお、図示しないが、ライナレスラベル４２とロール紙４５は、それぞれセンサ及び搬送手段によって搬送制御され、ライナレスラベルの適当な位置にＲＦ−ＩＤタグ４４が貼り付けられる。ライナレスラベル４２の裏面のＲＦ−ＩＤラベル４４が貼られた以外の部分（図５（Ｂ）の斜線で示す）は、糊面が露出しているため、そのまま商品等に貼ることが可能である。
【００３４】
このように、この第２の実施の形態によれば、印字が行われていないライナレスラベル４２には、ＲＦ−ＩＤタグ４４が組み込まれていないため、ライナレスラベル４２の変更を簡単に行うことができる。
【００３５】
なお、上記した第１の実施の形態において、載置部３５と当接部材３６を逆の位置に配設するようにしても良い。この場合には、プラテン３８とプリンタヘッド３９とを逆に設置すれば良い。
【００３６】
また、同様に、第２の実施の形態において、第１の保持部４２にＲＦ−ＩＤタグを外周面に貼りつけたロール紙を取り付け、第２の保持部に内周面が糊付けされたライナレスラベルを取り付けるようにしても良い。この場合には、ライナレスラベルの幅はロール紙の幅より狭くすれば良い。
【００３７】
【発明の効果】
本発明によれば、ＲＦ−ＩＤタグを用いたラベルであっても、ＲＦ−ＩＤタグを剥がさなくてもラベルの変更が容易で、かつ、ラベルの糊面が露出しているため、そのまま商品等に貼ることが可能なラベルを発行できるＲＦ−ＩＤラベル作成機能付きプリンタを提供することができる。
【図面の簡単な説明】
【図１】本発明の第１の実施の形態に係わるＲＦ−ＩＤラベル作成機能付きプリンタの概略構成図。
【図２】同第１の実施の形態に係わるライナレスラベルを表から見た図と裏から見た図。
【図３】同第１の実施の形態に係わるライナレスラベルの要部断面図。
【図４】本発明の第２の実施の形態に係わるＲＦ−ＩＤラベル作成機能付きプリンタの概略構成図。
【図５】同第２の実施の形態に係わるライナレスラベルを表から見た図と裏から見た図。
【図６】同第２の実施の形態に係わるライナレスラベルの要部断面図。
【図７】従来のＲＦ−ＩＤラベル付きプリンタの概略構成図。
【図８】従来のラベルを表から見た図と裏から見た図。
【図９】従来のラベルの要部断面図。
【符号の説明】
３１…保持部、
３２…ライナレスラベル、
３３…プリンタ筐体、
３４…単票ＲＦ−ＩＤタグ、
３５…載置台、
３６…当接部材。
【図１】
0004129854.tif 000002
【図２】
0004129854.tif 000003
【図３】
0004129854.tif 000004
【図４】
0004129854.tif 000005
【図５】
0004129854.tif 000006
【図６】
0004129854.tif 000007
【図７】
0004129854.tif 000008
【図８】
0004129854.tif 000009
【図９】
0004129854.tif 000010